(57)【要約】　　　（修正有）【課題】柱状の対象物に玉掛けする技術を改良して、２本のワイヤロープに均等な荷重を分担させて吊り上げ得るようにする。【解決手段】３個のシーブを設けたワイヤハンガー４を構成する。３個のシーブは、同じ高さに並べたに２個の底辺シーブ４ｂ，４ｃと、それよりも高く位置せしめて設けた１個の頂点シーブ４ｄとである。ワイヤロープ５の両端に形成した２個のくくり締め輪５ａを杭１に嵌め掛け、このワイヤロープ５を３個のシーブに対して山形に巻き掛ける。これにとり、ワイヤロープ５二つ折りされた形で、実効的に杭１を２本吊りし、ワイヤロープ５の全長に亙って均一な引っ張り荷重が掛かる。前記のワイヤロープ５を３分割して、シャックル５ｂで連結しておくと取り扱いが容易かつ安全である。【選択図】図２
0003097734.tif 000002
【実用新案登録請求の範囲】
【請求項１】
一対の平行な板状部材から成るシーブブラケット（４ａ）の面に、水平なＸ軸と垂直なＹ軸とを設定し、
２個の底辺シーブ（４ｂ，４ｃ）が、それぞれＸ軸上に、かつ、Ｙ軸に関して対称に配置されるとともに、
１個の頂点シーブ（４ｄ）がＹ軸上に、かつ前記底辺シーブ（４ｂ，４ｃ）よりも上方に位置せしめて配置されており、
ワイヤロープ（５）が、上記３個のシーブに対して山形に巻き掛けられるようになっていることを特徴とする、ワイヤハンガー。
【請求項２】
前記のワイヤロープ（５）の両端部のそれぞれに、くくり締め輪（５ａ）が形成されていることを特徴とする、請求項１に記載したワイヤハンガー。
【請求項３】
前記のワイヤロープ（５）が、その両端部に形成されているくくり締め輪（５ａ）からほぼ等距離の２箇所で分割され、
上記の分割部がシャックルもしくはシャックルに類似する部材で連結されていることを特徴とする請求項２に記載したワイヤハンガー。
【請求項４】
前記２個の底辺シーブ（４ｂ，４ｃ）の中心点の位置をそれぞれ点Ｂ，点Ｃとし、
前記頂点シーブ４ｄの中心点の位置を点Ｄとして、
角ＣＤＢが約１２０度であることを特徴とする、請求項１に記載したワイヤハンガー。
【考案の詳細な説明】
【０００１】
【考案の属する技術分野】
本考案は柱状の対象物をクレーンで引き上げ、または引き抜く場合の玉掛け用の器械に関するものである。
【０００２】
【従来の技術】
図３は、クレーンで柱状の重量物を引き上げる場合の従来技術を説明するために示したものである。
（図３（Ａ）参照）例えば杭１を吊り上げるとき、ワイヤロープ２の端に小輪２ａを作るとともに、該ワイヤロープ２の他端を上記小輪２ａに差し通して大輪２ｂを形成し、この大輪２ｂを杭１に巻き掛ける。
ワイヤロープ２をクレーンで引き上げ、該ワイヤロープ２に張力が掛かると、大輪２ｂが縮小しようとして杭１を締め付ける。このようにして、多くの人力を要しないで杭１に玉掛けされる。
【０００３】
【考案が解決しようとする課題】
（図３（Ｂ）参照）前記の杭１が、例えば既設の場所打ち杭である場合、これを引き抜こうとすると、例えば１００トンといった巨大な引き抜き力を要する。
このような場合は例えば直径５０ミリの２本のワイヤロープ２Ａ，２Ｂそれぞれに、くくり締め輪２ｃを形成し、これら２本のワイヤロープを錨形フック３に掛けて均等に引き上げる。
上記くくり締め輪２ｃは、（Ａ）図に示した小輪２ａと大輪２ｂとを総称したものである。
【０００４】
図から容易に理解できるように、くくり締め輪２ｃは摩擦力と引張り荷重とが釣り合う状態まで杭１に対して滑りながら引き絞められる。
このため、杭１に対してくくり締め輪２ｃが安定して結び付けられる位置は一定でない。その結果、２本のワイヤロープ２Ａ，２Ｂが偏荷重になる。
２本のワイヤロープが偏荷重になると、１本吊りに近い状態になるので非常に危険であり、作業を緊急に停止せざるを得なくなる。
ワイヤロープ２Ａ，２Ｂを掛け直して作業を再開しても成功することは保証されておらず、何回もやり直さねばならないのが通例である。
直径５０ミリメートルのワイヤロープは、数トンの荷重が掛かってこそフレキシブルな挙動を示すが、人手で扱うときの手触りは、まるで鋼（はがね）の棒であって、意のごとく掛け直せるものではない。
作業のやり直しのために能率が低下することは甚大である。
【０００５】
本考案は上述の事情に鑑みて為されたものであって、その目的とする処は、柱状の対象物に２本のワイヤロープ掛けて、これら２本のワイヤロープの荷重を自動的に釣り合わせ得る、小形，軽量の玉掛け機器を提供するにある。
【０００６】
【課題を解決するための手段】
単に２本のワイヤロープの荷重を釣り合わせるだけであれば、図４に示した試案のように、１本のワイヤロープ２の両端それぞれに、くり締め輪２ｃを設け、この１本のワイヤロープ２をバランスシーブ６に巻き掛けてクレーンフック７で引き上げれば良い。これにより、実効２本のワイヤロープで、均等に荷重を分担することができる。
しかし乍ら、この図４の試案について設計してみると、バランスシーブ６の形状寸法，重量が巨大になってしまい、到底　実用に供し得ない。
【０００７】
そこで請求項１に係る考案の構成は、（図１参照）一対の平行な板状部材から成るシーブブラケット（４ａ）の面に、水平なＸ軸と垂直なＹ軸とを設定し、
２個の底辺シーブ（４ｂ，４ｃ）が、それぞれＸ軸上に、かつ、Ｙ軸に関して対称に配置されるとともに、
１個の頂点シーブ（４ｄ）がＹ軸上に、かつ前記底辺シーブ（４ｂ，４ｃ）よりも上方に位置せしめて配置されており、
ワイヤロープ（５）が、上記３個のシーブに対して山形に巻き掛けられるようになっていることを特徴とする。
【０００８】
以上に説明した請求項１の考案によると、ワイヤロープ５が、３個のシーブ（４ｂ，４ｃ，４ｄ）に、山形に巻き掛けられるので、該ワイヤロープの両端に掛けられた荷重が自動的に釣り合う。
その上、ワイヤロープが３個のシーブに山形に巻き掛けられるので、ワイヤ径に比して小径のシーブを用いることができる。
このようにして、比較的に小形，軽量の玉掛け機器（ワイヤハンガー）を用いて、重量物を２本のワイヤロープで（一連のワイヤロープを二つ折りにした２本掛けで）、均等な荷重分担で吊り上げることができる。
【０００９】
請求項２に係る考案の構成は、前記請求項１の考案の構成要件に加えて、（図２参照）前記のワイヤロープ（５）の両端部のそれぞれに、くくり締め輪（５ａ）が形成されていることを特徴とする。
以上に説明した請求項２の考案を適用すると、ワイヤロープの両端それぞれに形成されている２個のくくり締め輪を柱状の作業対象物に嵌め掛けて、該作業対象物を均等に２本吊りすることができる。
【００１０】
請求項３に係る考案の構成は、前記請求項２の考案の構成要件に加えて、（図２参照）前記のワイヤロープ（５）が、その両端部に形成されているくくり締め輪（５ａ）からほぼ等距離の２箇所で分割され、
上記の分割部がシャックルもしくはシャックルに類似する部材で連結されていることを特徴とする。
以上に説明した請求項３の考案を適用すると、ワイヤロープ（５）の全長が３分割されているので取り扱い易い。しかも、３本に分割されたワイヤロープを迅速，容易かつ確実に接続・分離することができる。
すなわち、３分割された内の中央付近の部分は比較的に短いので、前記３個のシーブに巻き掛ける操作が容易である。
そして、３分割された内の両側の２本は、比較的短く、くくり締め輪が形成されているので、これを柱状の対象物に巻き掛ける操作が容易である。
重量物の荷扱いに関して「容易である」ということは、単に労力を要しないとか、労務コストが安いとかいった問題に止まらず、「安全作業」の原則であって、最重要課題であると言っても過言ではない。
さらに、前記のごとく３分割されているワイヤロープは、シャックルによって迅速，容易かつ確実に連結され、また、迅速，容易に分離することもできる。
【００１１】
請求項４に係る考案の構成は、前記請求項１の考案の構成要件に加えて、（図１参照）前記２個の底辺シーブ（４ｂ，４ｃ）の中心点の位置をそれぞれ点Ｂ，点Ｃとし、前記頂点シーブ４ｄの中心点の位置を点Ｄとして、
角ＣＤＢが約１２０度であることを特徴とする。
以上に説明した請求項４の考案によると、３個のシーブに対して山形に巻き掛けられたワイヤロープが、底辺シーブ（４ｂ）の付近で約１２０度屈曲し、かつ頂点シーブ（４ｄ）の付近で約１２０度屈曲し、さらに底辺シーブ（４ｃ）の付近で約１２０度屈曲し、
これらを総合して、３個のシーブに巻き掛けられたワイヤロープが、（１２０×３＝）３６０度に折り返されるので、該３個のシーブに対して、ほぼ均等な荷重が係る。
これにより、３個のシーブを同形同寸に構成して部品の互換性が得られ、かつ、ワイヤロープの径に比してシーブの径を小さく設定しても、該ワイヤロープを早期に損耗させる虞れが無い。
【考案の実施の形態】
図２は、本考案の１実施形態を描いた模式図である。前掲の図４に示した試案に比して異なる処は次の通りである。
ａ．１個のバランスシーブ６で吊り上げるのではなく、３個のシーブを設けたワイヤハンガー４で吊り上げる。
ｂ．継ぎ目なしの１本のワイヤロープ２ではなく、シャックル５ｂを介して連結されたワイヤロープ５を用いている
杭１に巻き掛けた２個のくくり締め輪に均等な荷重が掛かるという作用については図４の試案におけると同様であるが、本図２のように３個のシーブ（４ｂ，４ｃ，４ｄ）に対してワイヤロープを山形に巻き掛けることにより、これらのシーブを含む「吊具」が小形，軽量になる。
（注）言うまでもなく、所要の強度、安全性を確保した上での小形，軽量化である。
【００１２】
図１は本考案に係るワイヤハンガー４の１実施形態を示し、（Ａ）は正面図、（Ｂ）は側面図である。
図１（Ａ）は使用状態を描いてあり、図示の状態に基づいて上下，左右、水平，垂直を呼称するものとする。
水平なＸ軸と、垂直なＹ軸とを想定する。（Ｚ軸は（Ａ）図において紙面に直交しており、（Ｂ）図において水平である）。
シーブブラケット４ａは、垂直面Ｘ−Ｙと平行な２枚の鋼板から成っている。
Ｘ軸上に、Ｙ軸から等間隔な２点Ｂ，Ｃを取り、
Ｙ軸上に、上記２点Ｂ，Ｃよりも上方に位置せしめて点Ｄを取る。三角形ＡＢＣは、点Ｄを頂点とし、線分ＢＣを底辺とする二等辺三角形となる。
望ましくは、上記二等辺三角形の頂角ＣＤＢを約１２０度とし、底角ＤＣＢ，底角ＤＢＣをそれぞれ３０度とする。
これにより、３個のシーブ４ｂ，４ｃ，４ｄのそれぞれについて、巻き掛けられているワイヤロープ５の屈曲角度が相互に等しくなり、該３個のシーブを同一形状寸法に構成することができる。
【００１３】
シーブブラケット４ａを構成している２枚の鋼板は、スペーサ４ｇを介してボルト・ナット４ｆで締結されている。４ｅは吊手、４ｈは補強リブである。
前記の点Ｄに頂点シーブ４ｄを配置し、　前記の２点Ｂ，Ｃそれぞれに底辺シーブ４ｂ，底辺シーブ４ｃを配置する。これらのシーブの回転中心軸はＺ方向である。
図示の角ＣＤＢを約１２０度に設定する。これに伴って角ＤＣＢおよび角ＤＢＣは、それぞれ約３０度になる。
【００１４】
図におけるワイヤロープ５の両端の部分が垂直であるとすれば、３個のシーブ４ｃ，４ｄ，４ｂそれぞれの付近で、ワイヤロープが１２０度ずつ曲げられることになり、該３個のシーブが相互に均等な荷重を受ける。本実施形態において、底辺シーブ４ｂ，４ｃおよび頂点シーブ４ｄを同径同寸に構成したのは、上述のように荷重分布が等しいからである。
これにより、ワイヤハンガー４全体として強度バランスが良く、シーブ関連部品の互換性が良い。
本考案において「山形に巻き掛ける」とは、図１（Ａ）におけるワイヤロープ５のように、上方に向かって凸なる形で、曲がり角に丸みを有するように巻き掛けることをいう。
【００１５】
前掲の図１に示したワイヤハンガ４を使用して、約荷重約１００トンの杭１を吊り上げた実施形態を図２に示す。
ワイヤロープ５は、２箇所で分割して３本にし、分割箇所をシャックル５ｂで連結してある。
いま吊り上げようとしている杭１の荷重１００トンに比べると僅かではあるがワイヤロープの重量も人手で取り扱う物体としては非常に重く、例えばロープ径５０ｍｍ場合（ワイヤ種類によって若干異なるが）１メートル当たり約１０キログラムである。その上、人手で取り扱う限り、とてもフレキシブルとは感じない。例えば線径３ミリメートルのピアノ線が１００本撚り合わされたものを御想像いただけば、その扱い難さを推察し得よう。
従って、本図２のようにワイヤロープ５が３分割されていることは、重要な構成要件の一つである。
このように分割されているから、ワイヤハンガ４のシーブにワイヤロープ５を巻き掛けることが実用上可能になる。
【００１６】
そして、分割されたワイヤロープ５の両端部のそれぞれに、くくり締め輪５ａが形成されているので、これを杭１に巻き掛ける作業も比較的容易である。
３分割されたワイヤロープ５がシャックル５ｂで連結されているので、この部分の着脱が容易であり、かつ確実に接続され、不意に外れる虞れが無い。
上述の作用と図面（図２）から容易に理解できるように「シャックルで連結する」とは、相手方のワイヤロープに「シャックルに対応する索端加工」が施されていることを前提とする。また、シャックルに類似する連結部材（例えばフォークエンド）で代替することも可能である。
【００１７】
【考案の効果】
以上に本考案の実施形態を挙げてその構成、作用を明らかならしめたように、請求項１の考案によると、（図１参照）　ワイヤロープ５が、３個のシーブ（４ｂ，４ｃ，４ｄ）に、山形に巻き掛けられるので、該ワイヤロープの両端に掛けられた荷重が自動的に釣り合う。
その上、ワイヤロープが３個のシーブに山形に巻き掛けられるので、ワイヤ径に比して小径のシーブを用いることができる。
このようにして、比較的に小形，軽量の玉掛け機器（ワイヤハンガー）を用いて、重量物を２本のワイヤロープで（一連のワイヤロープを二つ折りにした２本掛けで）、均等な荷重分担で吊り上げることができる。
【００１８】
請求項２の考案を適用すると、（図２参照）ワイヤロープの両端それぞれに形成されている２個のくくり締め輪を柱状の作業対象物に嵌め掛けて、該作業対象物を均等に２本吊りすることができる。
請求項３の考案を適用すると（図２参照）ワイヤロープ（５）の全長が３分割されているので取り扱い易い。しかも、３本に分割されたワイヤロープを迅速，容易かつ確実に接続することができる。
すなわち、３分割された内の中央付近の部分は比較的に短いので、前記３個のシーブに巻き掛ける操作が容易である。
そして、３分割された内の両側の２本は、比較的短く、くくり締め輪が形成されているので、これを柱状の対象物に巻き掛ける操作が容易である。
重量物の荷扱いに関して「容易である」ということは、単に労力を要しないとか、労務コストが安いとかいった問題に止まらず、「安全作業」の原則であって、最重要課題であると言っても過言ではない。
さらに、前記のごとく３分割されているワイヤロープは、シャックルによって迅速，容易かつ確実に連結される。
【００１９】
請求項４の考案によると、３個のシーブに対して山形に巻き掛けられたワイヤロープが、片方の底辺シーブの付近で約１２０度屈曲し、かつ頂点シーブの付近で約１２０度屈曲し、さらに他方の底辺シーブの付近で約１２０度屈曲し、
これらを総合して、３個のシーブに巻き掛けられたワイヤロープが、（１２０×３＝）３６０度に折り返されるので、該３個のシーブに対して、ほぼ均等な荷重が係る。
これにより、３個のシーブを同形同寸に構成して部品の互換性が得られ、かつ、ワイヤロープの径に比してシーブの径を小さく設定しても、該ワイヤロープを早期に損耗させる虞れが無い。
【図面の簡単な説明】
【図１】本考案に係るワイヤハンガーの１実施形態を示し、（Ａ）は正面図、（Ｂ）は側面図である。
【図２】前掲の図１に示したワイヤハンガーを用いて杭を吊り上げている状態を描いた模式的な正面図である。
【図３】柱状の対象物に玉掛けする従来技術を説明するために示したもので。（Ａ）は１本のワイヤロープで吊り上げている状態の外観図、（Ｂ）は２本のワイヤロープで吊り上げている状態の外観図である。
【図４】２本のワイヤロープに均等な荷重を掛けるようにした試案の作業状態を描いた外観図である。
【符号の説明】
１…杭、２…ワイヤロープ、２ａ…小輪、２ｂ…大輪、２ｃ…くくり締め輪、３…錨形フック、４…ワイヤハンガー、４ａ…シーブブラケット、４ｂ，４ｃ…底辺シーブ、４ｄ…頂点シーブ、４ｅ…吊手、４ｆ…ボルト・ナット、４ｇ…スペーサ、４ｈ…補強リブ、５…ワイヤロープ、５ａ…くくり締め輪、５ｂ…シャックル連結部、６…バランスシーブ、７…クレーンフック。
【図１】
0003097734.tif 000003
【図２】
0003097734.tif 000004
【図３】
0003097734.tif 000005
【図４】
0003097734.tif 000006